(57)【要約】【課題】インピーダンスおよびノイズ電流の双方を抵抗測定モードとノイズ電流測定モードとを手動で切り替えずに確認可能とする。【解決手段】処理部４９は、電圧注入部６１による検査用交流電圧Ｖｘの注入時において電流検出部４３で検出される交流電流に基づいて測定対象回路５に流れる検査電流Ｉｘを検出すると共にこの検査電流Ｉｘと検査用交流電圧Ｖｘとに基づいて測定対象回路５の抵抗値Ｒｘを算出するインピーダンス算出処理と、電圧注入部６１に対して検査用交流電圧Ｖｘの注入を停止させた状態において電流検出部４３で検出される交流電流に基づいて測定対象回路５に流れるノイズ電流Ｉｎを算出するノイズ電流算出処理とを、予め規定された周期Ｔ１で交互に実行することにより、ノイズ電流Ｉｎおよび抵抗値Ｒｘを算出すると共に出力部５０の画面上に更新表示させる。【選択図】図１
2011185626.tif 000002
【特許請求の範囲】
【請求項１】
測定対象回路に検査用交流電圧を注入する電圧注入部と、前記測定対象回路に流れる交流電流を検出する電流検出部と、前記電圧注入部による前記検査用交流電圧の注入時において前記電流検出部で検出される前記交流電流から当該検査用交流電圧の注入に起因して前記測定対象回路に流れる検査電流を検出する検査電流検出部と、前記検査用交流電圧および前記検査電流に基づいて前記測定対象回路のインピーダンスを算出するインピーダンス算出処理を実行する処理部とを備えたインピーダンス測定装置であって、
出力部を有し、
前記処理部は、前記電圧注入部に対して前記検査用交流電圧の注入を停止させた状態において前記電流検出部で検出される前記交流電流に基づいて前記測定対象回路に流れるノイズ電流を算出するノイズ電流算出処理を、予め規定された周期で前記インピーダンス算出処理と交互に実行することにより、前記インピーダンスおよび前記ノイズ電流を算出すると共に前記出力部に出力するインピーダンス測定装置。
【請求項２】
前記出力部としての表示部を備え、前記処理部から出力された前記インピーダンスおよび前記ノイズ電流を当該表示部の画面上に更新表示させる請求項１記載のインピーダンス測定装置。
【発明の詳細な説明】
【技術分野】
【０００１】
本発明は、測定対象回路のインピーダンスを測定するインピーダンス測定装置に関するものである。
【背景技術】
【０００２】
この種のインピーダンス測定装置として、本願発明者は下記の特許文献１に開示されたインピーダンス測定装置を既に提案している。このインピーダンス測定装置は、測定対象回路に検査用交流電圧を注入する電圧注入部と、検査用交流電圧の注入に起因して測定対象回路に流れる交流電流を測定する電流測定部と、注入された検査用交流電圧および測定された交流電流に基づいて測定対象回路のインピーダンスを算出する処理部とを備えたインピーダンス測定装置であって、電圧注入部は、周波数の異なる複数の検査用交流電圧を測定対象回路に注入可能に構成され、処理部は、検査用交流電圧の周波数毎にインピーダンスを算出する。
【０００３】
一例として、２つの周波数の検査用交流電圧を測定対象回路に注入する構成を例に挙げて説明すると、一方の周波数と同じ周波数のノイズ電流（ノイズ）が測定対象回路に流れているときには、このノイズ電流に起因して、この一方の周波数の検査用交流電圧を印加したときに測定される抵抗値の測定精度が大きく低下することになる。この場合、この一方の周波数の検査用交流電圧を印加したときに算出（測定）される抵抗値は、他方の周波数（ノイズ電流の周波数とは異なる周波数）の検査用交流電圧を印加したときに算出（測定）される抵抗値よりも必ず小さい値として算出される。これは、ノイズ電流が重畳している分だけ、電流測定部で測定される交流電流が大きくなり、この結果、測定対象回路の抵抗値が実際の値よりも小さい値として算出されるからである。したがって、値の大きな抵抗値を測定対象回路の抵抗値であると特定することにより、ノイズの影響のより少ない周波数のときの抵抗値を測定対象回路の抵抗値として特定することができる。
【０００４】
したがって、このインピーダンス測定装置では、ノイズ電流が測定対象回路に流れているときであっても、ノイズ電流の影響のより少ない周波数の検査用交流電圧を測定対象回路に注入したときに算出されたインピーダンスを測定対象回路の最終的なインピーダンスとして測定することで、ノイズ電流の影響を軽減することができる結果、インピーダンスの測定精度を十分に向上させることが可能となっている。
【先行技術文献】
【特許文献】
【０００５】
【特許文献１】特開２００９−２１６６１８号公報（第１−６頁、第１図）
【発明の概要】
【発明が解決しようとする課題】
【０００６】
ところで、上記のインピーダンス測定装置では、検査用交流電圧を測定対象回路に注入しない状態において、測定対象回路に流れる電流を測定することにより、ノイズ電流を測定することができる。このため、本願発明者は、抵抗測定モードとノイズ電流測定モードの２種類の測定モードを有し、手動でいずれか一方の測定モードに切り替え得るようにしたインピーダンス測定装置を既に開発している。
【０００７】
ところが、この既に開発したインピーダンス測定装置には、抵抗測定中においてノイズ電流を知りたい場合、ノイズ電流の測定中において抵抗を知りたい場合のいずれにおいても、手動で測定モードを所望の測定モードに切り替える必要があり、操作が煩雑であるという解決すべき課題が存在している。
【０００８】
本発明は、かかる課題を解決すべくなされたものであり、インピーダンスおよびノイズ電流の双方を抵抗測定モードとノイズ電流測定モードとを手動で切り替えずに確認し得るインピーダンス測定装置を提供することを主目的とする。
【課題を解決するための手段】
【０００９】
上記目的を達成すべく請求項１記載のインピーダンス測定装置は、測定対象回路に検査用交流電圧を注入する電圧注入部と、前記測定対象回路に流れる交流電流を検出する電流検出部と、前記電圧注入部による前記検査用交流電圧の注入時において前記電流検出部で検出される前記交流電流から当該検査用交流電圧の注入に起因して前記測定対象回路に流れる検査電流を検出する検査電流検出部と、前記検査用交流電圧および前記検査電流に基づいて前記測定対象回路のインピーダンスを算出するインピーダンス算出処理を実行する処理部とを備えたインピーダンス測定装置であって、出力部を有し、前記処理部は、前記電圧注入部に対して前記検査用交流電圧の注入を停止させた状態において前記電流検出部で検出される前記交流電流に基づいて前記測定対象回路に流れるノイズ電流を算出するノイズ電流算出処理を、予め規定された周期で前記インピーダンス算出処理と交互に実行することにより、前記インピーダンスおよび前記ノイズ電流を算出すると共に前記出力部に出力する。
【００１０】
また、請求項２記載のインピーダンス測定装置は、請求項１記載のインピーダンス測定装置において、前記出力部としての表示部を備え、前記処理部から出力された前記ノイズ電流および前記インピーダンスを当該表示部の画面上に更新表示させる。
【発明の効果】
【００１１】
請求項１記載のインピーダンス測定装置では、処理部が、電圧注入部に対して検査用交流電圧の注入を停止させた状態において電流検出部で検出される測定対象回路に流れる交流電流に基づいて測定対象回路に流れるノイズ電流の電流値を算出するノイズ電流算出処理を、予め規定された周期でインピーダンス算出処理と交互に実行することにより、ノイズ電流の電流値とインピーダンスとを交互に出力部に出力させる。
【００１２】
したがって、このインピーダンス測定装置によれば、インピーダンス測定モードおよびノイズ電流測定モードの２種類の測定モードしか有していないインピーダンス測定装置とは異なり、インピーダンス算出処理とノイズ電流算出処理とが周期的に自動で実行されて、インピーダンスとノイズ電流とが交互に出力部に出力されるため、インピーダンス測定モードとノイズ電流測定モードとを手動で切り替えることなく（測定モードを手動で切り替えることなく）、インピーダンスとノイズ電流とを出力部において確認することができる。
【００１３】
また、請求項２記載のインピーダンス測定装置によれば、インピーダンスおよびノイズ電流が出力部としての表示部の画面上に更新表示されるため、インピーダンスとノイズ電流とを目視にて容易に確認することができる。
【図面の簡単な説明】
【００１４】
【図１】抵抗測定装置１の構成を示す構成図である。
【図２】抵抗測定装置１によるインピーダンス算出処理１００を説明するためのフローチャートである。
【図３】抵抗測定装置１によるノイズ電流算出処理２００を説明するためのフローチャートである。
【図４】交互測定モード時の抵抗測定装置１の動作を説明するためのタイミングチャートである。
【発明を実施するための形態】
【００１５】
以下、インピーダンス測定装置の実施の形態について、添付図面を参照して説明する。
【００１６】
最初に、インピーダンス測定装置の一例である抵抗測定装置１の構成について、図面を参照して説明する。
【００１７】
図１に示す抵抗測定装置１は、クランプ部２、およびクランプ部２とケーブル３を介して接続された装置本体部４を備え、測定対象回路５のインピーダンス（本例では一例として抵抗（ループ抵抗）の抵抗値Ｒｘ）を測定可能に構成されている。
【００１８】
クランプ部２は、図１に示すように、注入クランプ部１１、検出クランプ部２１およびハウジング３１を備えて構成されている。一例として、本例では、注入クランプ部１１は、２つに分割された第１環状コア１２、および第１環状コア１２に巻回された第１巻線１３（既知のターン数：Ｎ１）を有している。また、検出クランプ部２１は、２つに分割された第２環状コア２２、および第２環状コア２２に巻回された第２巻線２３（既知のターン数：Ｎ２）を有している。また、注入クランプ部１１および検出クランプ部２１は、先端が開閉自在なクランプ型の樹脂製のハウジング３１に共に収容されて、このハウジング３１の開閉動作に伴い、それぞれの第１環状コア１２および第２環状コア２２が同時に開閉するように構成されている。
【００１９】
この構成により、ハウジング３１を開状態としてその内側に測定対象回路５の一部を構成する配線５ａを導入することで、開状態となった第１環状コア１２および第２環状コア２２のそれぞれの内側にも配線５ａが導入され、この状態においてハウジング３１を閉状態とすることで、閉状態となった第１環状コア１２および第２環状コア２２によって配線５ａが同時にクランプされた状態、すなわちクランプ部２によって配線５ａがクランプされた状態となる。この場合、配線５ａは、第１環状コア１２および第２環状コア２２において１ターンの巻線として機能する。
【００２０】
装置本体部４は、図１に示すように、Ｄ／Ａ変換部４１、電力増幅部４２、電流検出部４３、切替スイッチ４４、検波部４５、第１Ａ／Ｄ変換部４６（以下、単に「Ａ／Ｄ変換部４６」ともいう）、増幅部４７、第２Ａ／Ｄ変換部４８（以下、単に「Ａ／Ｄ変換部４８」ともいう）、処理部４９、出力部５０および操作部５１を備えている。この場合、Ｄ／Ａ変換部４１、電力増幅部４２および注入クランプ部１１によって電圧注入部６１が構成される。また、電流検出部４３、検波部４５およびＡ／Ｄ変換部４６により、後述する検査用交流電圧Ｖｘの注入に起因して測定対象回路５に流れる検査電流Ｉｘ（測定対象回路５に流れる交流電流の一部）を検出する検査電流検出部６２が構成される。また、電流検出部４３、増幅部４７およびＡ／Ｄ変換部４８により、測定対象回路５に流れるノイズ電流Ｉｎ（測定対象回路５に流れる交流電流の一部）を検出するノイズ電流検出部６３が構成される。ノイズ電流Ｉｎとしては、一例として、商用電源に起因して発生する電流が存在する。
【００２１】
Ｄ／Ａ変換部４１は、処理部４９から出力された交流波形データＤｖを所定の変換レートで交流電圧Ｖａに変換して出力する。この場合、交流波形データＤｖは、交流電圧Ｖａが、周波数が一定で、かつ振幅が一定の交流信号となる波形データとして構成されている。電力増幅部４２は、この交流電圧Ｖａを所定の増幅率で増幅して予め規定された振幅の交流電圧Ｖ１を生成すると共に、生成した交流電圧Ｖ１を注入クランプ部１１の第１巻線１３に印加する。これにより、注入クランプ部１１を介して測定対象回路５に検査用交流電圧Ｖｘが注入される。この場合、測定対象回路５に注入される検査用交流電圧Ｖｘは、本例では配線５ａが第１環状コア１２において１ターンの巻線として機能するため、交流電圧Ｖ１をターン数Ｎ１で除算して得られる電圧値（Ｖｘ＝Ｖ１／Ｎ１）となる。
【００２２】
検出クランプ部２１は、第２環状コア２２において配線５ａが１ターンの巻線として機能するため、測定対象回路５に流れる交流電流（検査用交流電圧Ｖｘの注入に起因して測定対象回路５に流れる検査電流Ｉｘ、およびノイズ電流Ｉｎ）を検出して、その第２巻線２３に検出電流Ｉ１（＝（Ｉｘ＋Ｉｎ）／Ｎ２）を出力する。電流検出部４３は、検出電流Ｉ１を交流電圧Ｖｂに変換して出力する。切替スイッチ４４は、交流電圧Ｖｂを入力すると共に処理部４９によって切替制御されて、検査電流検出部６２およびノイズ電流検出部６３のいずれか一方に対して交流電圧Ｖｂを出力する。
【００２３】
検波部４５は、処理部４９から出力される検波信号Ｓｄ（交流電圧Ｖａに同期したクロック信号）を用いて交流電圧Ｖｂを同期検波して、交流電圧Ｖａと周波数が同一の交流電圧Ｖｃを出力し、Ａ／Ｄ変換部４６が、この交流電圧Ｖｃをデジタルデータに変換して電流データＤｉ１として出力する。この場合、検波信号Ｓｄを用いた同期検波により、検出電流Ｉ１中に含まれているノイズ電流Ｉｎの成分が除去されて、検査電流Ｉｘの成分が抽出される。このため、Ａ／Ｄ変換部４６から出力される電流データＤｉ１は、検査電流Ｉｘを表すデータとなる。
【００２４】
増幅部４７は、交流電圧Ｖｂを予め規定された倍率で電圧増幅して、増幅電圧Ｖｄとして出力する。Ａ／Ｄ変換部４８が、この増幅電圧Ｖｄをデジタルデータに変換して電流データＤｉ２として出力する。この場合、後述するように、この電流データＤｉ２は、電圧注入部６１による測定対象回路５への検査用交流電圧Ｖｘの注入が行われていない状態において測定されるものでるため、外部ノイズなどの影響を受けて測定対象回路５に流れるノイズ電流Ｉｎを表すデータとなる。
【００２５】
処理部４９は、ＣＰＵおよびメモリ（いずれも図示せず）を備えて構成されて、インピーダンス算出処理（本例では抵抗算出処理）およびノイズ電流算出処理を実行する。本例では一例として、処理部４９は、操作部５１から入力される制御信号Ｓｃｎｔに基づき、インピーダンス算出処理を実行して測定対象回路５の抵抗値Ｒｘを測定するインピーダンス測定モード、ノイズ電流算出処理を実行してノイズ電流Ｉｎを測定するノイズ電流測定モード、並びにインピーダンス算出処理およびノイズ電流算出処理を交互に実行する交互測定モードのいずれかの測定モードで動作可能となっている。出力部５０は、一例としてモニタ装置を用いて表示部として構成されて、インピーダンス算出処理やノイズ電流算出処理の各結果を画面に表示する。なお、表示部としては、モニタ装置以外に、印刷装置で構成することもできる。また、出力部５０は、表示部以外に、外部記憶装置と接続されるインターフェース回路で構成し、各算出処理の結果を外部記憶装置に記憶させることもできる。
【００２６】
次に、抵抗測定装置１の動作について、図２，３，４を参照して説明する。
【００２７】
まず、操作部５１から入力される制御信号Ｓｃｎｔに基づき、処理部４９がインピーダンス測定モードで動作する場合について説明する。
【００２８】
このインピーダンス測定モードでは、処理部４９は、切替スイッチ４４に対する切替制御を実行して、電流検出部４３から出力される交流電圧Ｖｂが切替スイッチ４４を介して検査電流検出部６２に入力されるように切替スイッチ４４を切り替えた後に、図２に示すインピーダンス算出処理（抵抗算出処理）１００を繰り返し実行して（予め規定された一定の周期で実行して）、測定された測定対象回路５の抵抗値Ｒｘを出力部５０に更新表示させる。
【００２９】
このインピーダンス算出処理１００では、処理部４９は、まず、検査用交流電圧Ｖｘを測定対象回路５に注入する注入処理を実行する（ステップ１０１）。具体的には、この注入処理において、処理部４９は、交流波形データＤｖの電圧注入部６１への出力を開始する。これにより、電圧注入部６１では、Ｄ／Ａ変換部４１が、この交流波形データＤｖを交流電圧（アナログ信号）Ｖａに変換して出力し、電力増幅部４２が、この交流電圧Ｖａを交流電圧Ｖ１に増幅して注入クランプ部１１の第１巻線１３に印加する。これにより、注入クランプ部１１から測定対象回路５に検査用交流電圧Ｖｘが注入される。このため、測定対象回路５には、ノイズ電流Ｉｎと共に、検査用交流電圧Ｖｘの注入に起因して発生する検査電流Ｉｘを含む交流電流が流れる。また、処理部４９は、交流波形データＤｖの出力開始と同時に、交流電圧Ｖａに同期している検波信号Ｓｄの検波部４５への出力も開始する。
【００３０】
この検査用交流電圧Ｖｘが測定対象回路５へ注入されている状態において、検出クランプ部２１が、測定対象回路５に流れる交流電流を検出して、その第２巻線２３から検出電流Ｉ１を出力し、電流検出部４３が、この検出電流Ｉ１を交流電圧Ｖｂに変換して出力する。この交流電圧Ｖｂは、切替スイッチ４４を介して検査電流検出部６２に入力される。
【００３１】
検査電流検出部６２は、検出電流Ｉ１の電流値を表す電流データＤｉ１を生成する処理を実行する。具体的には、検査電流検出部６２では、検波部４５が、検波信号Ｓｄを用いて交流電圧Ｖｂを同期検波して、交流電圧Ｖａと同一の周波数成分で構成される交流電圧Ｖｃを出力する。次いで、Ａ／Ｄ変換部４６が、この交流電圧Ｖｃをデジタルデータに変換して電流データＤｉ１として処理部４９に出力する。
【００３２】
次いで、処理部４９は、測定対象回路５の抵抗値Ｒｘを算出する算出処理を実行する（ステップ１０２）。具体的には、この算出処理において、処理部４９は、交流電圧Ｖ１の振幅および第１巻線１３のターン数（Ｎ１）に基づいて検査用交流電圧Ｖｘを算出すると共に、電流データＤｉ１で特定される検出電流Ｉ１および第２巻線２３のターン数（Ｎ２）に基づいて検査電流Ｉｘを算出する。また、処理部４９は、算出した検査用交流電圧Ｖｘと検査電流Ｉｘとに基づいて、測定対象回路５の抵抗値Ｒｘを算出して、メモリに記憶する。この抵抗値Ｒｘの算出に際しては、処理部４９は、抵抗値Ｒｘを複数回算出すると共に、これらの平均（一例として移動平均）を算出して、最終的な抵抗値Ｒｘとする構成を採用することもできるし、１回の算出で求めた抵抗値Ｒｘを最終的な抵抗値Ｒｘとする構成を採用することもできる。これにより、インピーダンス算出処理１００が完了する。
【００３３】
インピーダンス測定モードでは、処理部４９は、上記のインピーダンス算出処理１００を上記した一定の周期毎に実行し、算出（測定）した抵抗値Ｒｘを出力部５０としての表示部の画面上に更新表示させる。
【００３４】
次に、操作部５１から入力される制御信号Ｓｃｎｔに基づき、処理部４９がノイズ電流測定モードで動作する場合について説明する。
【００３５】
このノイズ電流測定モードでは、処理部４９は、切替スイッチ４４に対する切替制御を実行して、電流検出部４３から出力される交流電圧Ｖｂが切替スイッチ４４を介してノイズ電流検出部６３に入力されるように切替スイッチ４４を切り替えた後に、図３に示すノイズ電流算出処理２００を繰り返し実行して（予め規定された一定の周期（本例ではインピーダンス算出処理の周期と同一であるが、異なる周期であってもよい）で実行して）、測定された測定対象回路５に流れるノイズ電流Ｉｎの電流値Ｉｎｖを出力部５０に更新表示させる。
【００３６】
このノイズ電流算出処理２００では、処理部４９は、上記の注入処理を停止している状態において、電流値Ｉｎｖの算出処理を実行する（ステップ２０１）。具体的には、この算出処理においては、処理部４９が交流波形データＤｖの電圧注入部６１への出力を停止しているため、注入クランプ部１１から測定対象回路５に対して検査用交流電圧Ｖｘの注入が行われていない状態となっている。このため、検出クランプ部２１が検出する測定対象回路５に流れる交流電流はノイズ電流Ｉｎのみとなる結果、検出クランプ部２１がこのノイズ電流Ｉｎを検出して、その第２巻線２３から検出電流Ｉ１を出力し、電流検出部４３が、この検出電流Ｉ１を交流電圧Ｖｂに変換して出力する。この交流電圧Ｖｂは、ノイズ電流Ｉｎが変換されたものであり、切替スイッチ４４を介してノイズ電流検出部６３に入力される。
【００３７】
ノイズ電流検出部６３は、検出電流Ｉ１の電流値を表す電流データＤｉ２を生成する処理を実行する。具体的には、ノイズ電流検出部６３では、まず、増幅部４７が、交流電圧Ｖｂを予め規定された増幅率で増幅して増幅電圧Ｖｄとして出力する。次いで、Ａ／Ｄ変換部４８が、この増幅電圧Ｖｄをデジタルデータに変換して電流データＤｉ２として処理部４９に出力する。
【００３８】
この状態において、処理部４９は、電流データＤｉ２で特定される検出電流Ｉ１および第２巻線２３のターン数（Ｎ２）に基づいてノイズ電流Ｉｎの電流値Ｉｎｖを算出して、メモリに記憶する。この電流値Ｉｎｖの算出に際しては、処理部４９は、電流値Ｉｎｖを複数回算出すると共に、これらの平均（一例として移動平均）を算出して、最終的な電流値Ｉｎｖとする構成を採用することもできるし、１回の算出で求めた電流値Ｉｎｖを最終的な電流値Ｉｎｖとする構成を採用することもできる。これにより、ノイズ電流算出処理２００が完了する。
【００３９】
ノイズ電流測定モードでは、処理部４９は、上記のノイズ電流算出処理２００を上記した一定の周期毎に実行し、算出（測定）した電流値Ｉｎｖを出力部５０としての表示部の画面上に更新表示させる。
【００４０】
続いて、操作部５１から入力される制御信号Ｓｃｎｔに基づき、処理部４９が、インピーダンス算出処理およびノイズ電流算出処理を交互に実行する交互測定モードで動作する場合について説明する。
【００４１】
この交互測定モードでは、処理部４９は、まず、切替スイッチ４４に対する切替制御を一定周期で実行することによって、電流検出部４３から出力される交流電圧Ｖｂを切替スイッチ４４を介して、検査電流検出部６２とノイズ電流検出部６３とに交互に入力させる。次いで、処理部４９は、この交流電圧Ｖｂの切り替えタイミングに合わせて、図４に示すように、検査電流検出部６２に交流電圧Ｖｂが入力されている周期Ｔ１（予め規定された周期の一例であって、２５０ｍｓ）では、インピーダンス算出処理１００（同図中では符号「Ｒ」を付して示している）を実行して抵抗値Ｒｘを算出してメモリに記憶させ、ノイズ電流検出部６３に交流電圧Ｖｂが入力されている次の周期Ｔ１では、ノイズ電流算出処理２００（同図中では符号「Ｉ」を付して示している）を実行して電流値Ｉｎｖを算出してメモリに記憶させる。これにより、処理部４９は、図４に示すように、新たな抵抗値Ｒｘおよび電流値Ｉｎｖを周期Ｔ２（＝Ｔ１×２）毎に算出する。
【００４２】
続いて、処理部４９は、予め決められた更新タイミングで、新たに算出した抵抗値Ｒｘおよび電流値Ｉｎｖをメモリから読み出して、出力部５０としての表示部の画面上に更新表示させる。本例では、一例として、この更新タイミングは、操作部５１から入力される制御信号Ｓｃｎｔに基づいて処理部４９に設定される。また、更新タイミングとしては、図４に示すように、新たな抵抗値Ｒｘおよび電流値Ｉｎｖを算出する周期Ｔ２毎に、抵抗値Ｒｘおよび電流値Ｉｎｖを同時に更新表示させる更新タイミング（１）（抵抗値Ｒｘおよび電流値Ｉｎｖが周期Ｔ２で更新される更新タイミング）を採用することもできるし、また、周期Ｔ２の複数倍の周期毎に更新表示させる更新タイミング（２）（同図に示す例では、一例として周期Ｔ２の３倍の周期毎に抵抗値Ｒｘおよび電流値Ｉｎｖが更新されるタイミング）を採用することもできる。また、更新タイミング（２）の場合には、更新表示の１周期中に、抵抗値Ｒｘおよび電流値Ｉｎｖを複数回算出するため、これらの平均値を算出して、この平均値を出力部５０に更新表示させる構成とすることもできる。
【００４３】
このように、この抵抗測定装置１では、交互測定モードにおいて、処理部４９が、電圧注入部６１に対して検査用交流電圧Ｖｘの注入を停止させた状態において電流検出部４３で検出される測定対象回路５に流れる交流電流に基づいて測定対象回路５に流れるノイズ電流Ｉｎの電流値Ｉｎｖを算出するノイズ電流算出処理２００を、予め規定された周期Ｔ１でインピーダンス算出処理１００と交互に実行することにより、ノイズ電流Ｉｎの電流値Ｉｎｖとインピーダンス（本例では抵抗値Ｒｘ）とを交互に出力部５０としての表示部の画面上に更新表示させる。
【００４４】
したがって、この抵抗測定装置１によれば、インピーダンス測定モードおよびノイズ電流測定モードの２種類の測定モードしか有していないインピーダンス測定装置とは異なり、上記した交互測定モードに設定しておくことにより（交互測定モードで処理部４９を作動させておくことにより）、インピーダンス（本例では抵抗値Ｒｘ）とノイズ電流Ｉｎの電流値Ｉｎｖとが交互に出力部５０に出力されるため、インピーダンス測定モードとノイズ電流測定モードとを手動で切り替えることなく（測定モードを手動で切り替えることなく）、インピーダンス（本例では抵抗値Ｒｘ）とノイズ電流Ｉｎの電流値Ｉｎｖとを出力部５０において確認することができる。
【００４５】
また、この抵抗測定装置１によれば、出力部５０を一例としてモニタ装置を用いて表示部として構成し、インピーダンス算出処理１００およびノイズ電流算出処理２００の各結果（インピーダンス（抵抗値Ｒｘ）およびノイズ電流Ｉｎの電流値Ｉｎｖ）を表示部の画面上に表示させる構成としたことにより、測定モードを手動で切り替えることなく、インピーダンス（本例では抵抗値Ｒｘ）とノイズ電流Ｉｎの電流値Ｉｎｖとを目視にて容易に確認することができる。
【００４６】
なお、インピーダンス算出処理の一例として抵抗算出処理を実行する例を挙げて説明したが、Ｄ／Ａ変換部４１に出力している交流波形データＤｖと、Ａ／Ｄ変換部４６から入力した電流データＤｉ１とに基づいて、検査用交流電圧Ｖｘの電圧値および検査電流Ｉｘの電流値を特定すると共に、検査用交流電圧Ｖｘおよび検査電流Ｉｘ間の位相差を特定し、これらに基づいて、測定対象回路５のインピーダンスを測定して、ノイズ電流Ｉｎの電流値Ｉｎｖと共に出力する（表示させる）構成を採用することもできる。
【００４７】
また、新たに算出した抵抗値Ｒｘおよび電流値Ｉｎｖを出力部５０に同時に表示させた状態で更新する例について上記したが、表示部の表示エリアが狭い場合や、数値表示可能なデバイス（いわゆる７セグメント式の表示デバイス）が抵抗値Ｒｘおよび電流値Ｉｎｖを同時に表示できない桁数のものである場合には、１つのデバイスに抵抗値Ｒｘおよび電流値Ｉｎｖを更新させつつ交互に表示させる構成を採用することもできる。
【００４８】
また、検査電流Ｉｘとノイズ電流Ｉｎとを１つの第２巻線２３で検出する構成を採用しているが、図示はしないが、検査電流Ｉｘを検出するための巻線とノイズ電流Ｉｎを検出する巻線とを第２環状コア２２に形成すると共に、各巻線に個別の電流検出部を接続する構成として、切替スイッチ４４を省略する構成を採用することもできる。
【００４９】
また、検波部４５を用いて検査電流検出部６２を構成して、測定対象回路５に流れる検査電流Ｉｘを同期検波によって検出する例について上記したが、電流検出部４３から出力される交流電圧Ｖｂの中から検査用交流電圧Ｖｘの周波数と同じ周波数の電圧成分を選択的に抽出し得るフィルタ部を検波部４５に代えて使用する構成を採用することもできる。
【符号の説明】
【００５０】
１  抵抗測定装置
５  測定対象回路
４３  電流検出部
４９  処理部
６１  電圧注入部
６２  検査電流検出部
６３  ノイズ電流検出部
Ｉｎ  ノイズ電流
Ｉｘ  交流電流
Ｒｘ  抵抗値
Ｖｘ  検査用交流電圧
【図１】
2011185626.tif 000003
【図２】
2011185626.tif 000004
【図３】
2011185626.tif 000005
【図４】
2011185626.tif 000006